(57)【要約】【課題】本発明はスポーツウェアに関し、上衣の両袖に配挿した通し紐を所望長さ引き締めて係止させることにより両袖の長さを長短調節でき、例えば子供用のスキーウェア、登山ウェアとして最適に使用する。【解決手段】上衣１の左右の両袖２,２に沿ってトンネル布部３,３を設け、該トンネル布部には通し紐４,４が挿入されてトンネル布部の一端３ａ,３ａに通し紐の一端が固定され、通し紐４,４の他端４ｂ,４ｂは肩部５,５を経て衿ぐり部６の後部に設けた開口６ａから引き締めて係止するスポーツウェアにおいて、通し紐４,４が、両袖２,２の袖口２ａ,２ａの腹部Ｊ1、Ｊ1に一端４ａ,４ａを固着し、袖口から略肘関節７に到る長さＬ１を有する第１トンネル布部３Ａ内に袖２,２の腹部Ｊ,Ｊに沿って挿通されるとともに、通し紐が、肩口８の袖山９付近に設けられた第２トンネル布部３Ｂ内に正面上がり勾配θに配挿されて開口にて引き締め可能に外部に露出された。【選択図】図１
2006009209.tif 000002
【特許請求の範囲】
【請求項１】
上衣の左右の両袖に沿ってトンネル布部を設け、該トンネル布部には通し紐が挿入されてトンネル布部の一端に通し紐の一端が固定され、通し紐の他端は肩部を経て衿ぐり部の後部に設けた開口から引き締めて係止するスポーツウェアにおいて、前記通し紐が、前記両袖の袖口の腹部に一端を固着し、袖口から略肘関節に到る長さを有する第１トンネル布部内に袖の腹部に沿って挿通されるとともに、前記通し紐が、肩口の袖山付近に設けられた第２トンネル布部内に正面上がり勾配に配挿されて前記開口にて引き締め可能に外部に露出されたことを特徴としたスポーツウェア。
【請求項２】
前記袖が、上衣の前身頃および後身頃に、袖ぐり部を介して連結されるセットイン袖であることを特徴とした請求項１に記載のスポーツウェア。
【請求項３】
前記袖が、上衣の前身頃および後身頃に、連結可能な肩布部を一体に形成したラグラン袖であることを特徴とした請求項１に記載のスポーツウェア。
【請求項４】
前記通し紐が、肘関節または／および腕関節に対応する個所を伸縮紐にて形成し、それ以外の個所を不伸縮紐により形成されることを特徴とした請求項１,２,３の何れかに記載のスポーツウェア。
【発明の詳細な説明】
【技術分野】
【０００１】
本発明は、スポーツウェアに関し、上衣の両袖に配挿した通し紐を所望長さ引き締めて係止させることにより両袖の長さを長短調節でき、例えば子供用のスキーウェア、スケートウェア、登山ウェアとして最適に使用する。
【背景技術】
【０００２】
従来、例えばスキーウェア等の主として子供用のスポーツウェアとして、成長が著しい成長過程における体格差に対処して、自己の体格よりも僅かに大きめのサイズの上衣を選択し、両袖を長短調整するものとして、上衣の左右の両袖に沿ってトンネル布部を設け、該トンネル布部には通し紐が挿入されてトンネル布部の一端に通し紐の一端が固定され、通し紐の他端は肩部を経て衿ぐり部の後部に設けた開口から引き締めて係止するようにしたものがあった。
【０００３】
そして、このスポーツウェアは、衿ぐり部の後部に設けた開口から通し紐を牽引することにより通し紐の一端が固着されている左右の袖を被着者は、自己の体格に合致するように両袖の長さを長短調整して装用するものであった（例えば特許文献１参照）。
【特許文献１】登録実用新案第３０５６９５７号公報
【発明の開示】
【発明が解決しようとする課題】
【０００４】
しかしながら、特許文献１に記載の上記従来のスポーツウェアは、袖を長短調整するための通し紐は、上衣の左右の両袖の袖山に沿って全体的に設けたトンネル布部内に挿入され、トンネル布部の一端に通し紐の一端が固定され、通し紐の他端は肩部を経て衿ぐり部の後部に設けた開口から引き締め可能に設けられているので、袖の長さを調整するために、衿ぐりの後部に設けた開口から通し紐を牽引すると、通し紐の一端が固定された左右の袖は、それぞれの袖山に配置したトンネル布部内を挿入されて肩部から衿ぐりの後部へと配索された通し紐により牽引されてそれぞれ対向して直線的に斜め上方へ引かれるため、左右の両袖は通し紐に引かれて万歳するようなＹ字状の格好になる。このため、袖の長さ調整するための調整動作が円滑に行えず、調整動作に多くの時間および手間がかかっていた。
【０００５】
そして、被着者は袖の長さを体格に合わせて短く調整してから、上衣を着用した場合に、肘関節を屈伸運動しようとすると、前述のように袖を牽引するための通し紐は袖山に沿って袖全体に設けられているので、通し紐の張力が抵抗となって肘関節の動きを拘束するため、肘関節は自在かつ円滑に屈伸することができず、運動性を損なうとともに違和感を覚えることがあった。
【０００６】
また、同様に上衣を脱ぐ場合にも、通し紐の張力が抵抗力を発揮して肘関節の動きを拘束することになるので、肘関節に対応する袖部分から腕を抜き取ることがし難くなるため、上衣を脱ぐのに手間がかかることがあった。
【０００７】
本発明は上記従来の欠点を解決し、上衣の装用操作および脱ぎ取り操作が、違和感を覚えることなく迅速かつ円滑に行え、また、左右の両袖の長短調整操作が容易かつ確実に行え、しかも、装用時の運動性と機能性とが優れたスポーツウェアを提供しようとするものである。
【課題を解決するための手段】
【０００８】
本発明は上記課題に鑑みなされたものであり、請求項１に記載の発明は、上衣の左右の両袖に沿ってトンネル布部を設け、該トンネル布部には通し紐が挿入されてトンネル布部の一端に通し紐の一端が固定され、通し紐の他端は肩部を経て衿ぐり部の後部に設けた開口から引き締めて係止するスポーツウェアにおいて、前記通し紐が、前記両袖の袖口の腹部に一端を固着し、袖口から略肘関節に到る長さを有する第１トンネル布部内に袖の腹部に沿って挿通されるとともに、前記通し紐が、肩口の袖山付近に設けられた第２トンネル布部内に正面上がり勾配に配挿されて前記開口にて引き締め可能に外部に露出されたことを特徴とした。
【０００９】
また、本発明の請求項２に記載の発明は、請求項１において、前記袖が、上衣の前身頃および後身頃に、袖ぐり部を介して連結されるセットイン袖であることを特徴とした。
【００１０】
また、本発明の請求項３に記載の発明は、請求項１において。前記袖が、上衣の前身頃および後身頃に、連結可能な肩布部を一体に形成したラグラン袖であることを特徴とした。
【００１１】
また、本発明の請求項４に記載の発明は、請求項１,２,３において、前記通し紐が、肘関節または／および腕関節に対応する個所を伸縮紐にて形成し、それ以外の個所を不伸縮紐により形成されることを特徴とした 。
【発明の効果】
【００１２】
本発明は、上衣の装用操作および脱ぎ取り操作が、違和感を覚えることなく迅速かつ円滑に行え、また、左右の両袖の長短調整操作が容易かつ確実に行え、しかも、着用時の運動性と機能性が優れる。
【発明を実施するための最良の形態】
【００１３】
以下図面に従い、本発明を実施するための最良の形態につき詳細を説明する。
【００１４】
図１は本発明のスポーツウェアの実施形態１を示す正面図、図２は背面図である。  
【００１５】
本実施形態１は、上衣１の左右の両袖２,２に沿ってトンネル布部３,３を設け、該トンネル布部３,３には通し紐４,４が挿入されてトンネル布部３,３の一端３ａ,３ａに通し紐４,４の一端４ａ,４ａが固定され、通し紐４,４の他端４ｂ, ４ｂは肩部５,５を経て衿ぐり部６の後部に設けた開口６ａから引き締めて係止することを特徴としたスポーツウェアである点は、例えば上記引用文献１に記載のスポーツウェアと同様の構成である。
【００１６】
しかしながら、図示する本実施形態１では、前記通し紐４,４が、前記両袖２,２の袖口２ａ,２ａの腹部Ｊ１,Ｊ１に一端４ａ,４ａを固着し、袖口２ａ,２ａから肘関節７,７に到る長さＬ１を有する第１トンネル布部３Ａ,３Ａ内に袖２,２の腹部Ｊ,Ｊに沿って挿通されるとともに、前記通し紐４,４が、肩口８,８の袖山９,９付近に設けられた第２トンネル布部３Ｂ,３Ｂ内に正面上がり勾配θに配挿されて前記開口６ａにて引き締め可能に外部に露出されたことを特徴とした。
【００１７】
また、本実施形態１では、前記袖２,２が、上衣１の前身頃１Ａおよび後身頃１Ｂに、袖ぐり部１０,１０を介して連結されている。
【００１８】
前記上がり勾配θは、袖２,２の腹部Ｊ,Ｊの幅方向の中央に横長に引かれる線Ｑ,Ｑに対して肩口８,８に向かって正面３０度〜４５度に設定される。
【００１９】
なお、通し紐４,４は１本を左右の両袖２,２に配索しても良いし、または２本の通し紐４,４を用いて左右の両袖２,２にそれぞれ配索してもよい。
【００２０】
１１は通し紐４,４の他端４ｂ,４ｂに装着された係止具であり、この係止具１１は所要長さに通し紐４,４を引き出した時に所要位置にて係止することにより元に戻らないようにするためのものである。また、図には示さないが、この係止具１１を使用するのに代えて所要長さ引き出した通し紐４,４に結目を形成することにより元に戻らないように係止することもできる。
【００２１】
本実施形態１は以上の構成からなり、通し紐４,４が、両袖２,２の袖口２ａ,２ａの腹部Ｊ１,Ｊ１に一端４ａ,４ａを固着し、袖２,２の腹部Ｊ,Ｊに沿って配設された第１トンネル布部３Ａ,３Ａ内に挿通されるとともに、肩口８,８の袖山９,９付近に設けた第２トンネル布部３Ｂ,３Ｂ内に正面上がり勾配θに配挿されて衿ぐり部１０,１０の後部に設けた開口６ａから引き締め可能に外部に露出されているので、開口６ａから露出されている左右の通し紐４,４を所要長さ一緒に同時に引いて引き締めると、一端４ａ,４ａを袖口２ａ,２ａの腹部Ｊ１,Ｊ１に固着している通し紐４,４は、先ず、手首関節に対応する袖口２ａ,２ａから略肘関節７,７に到る長さＬ１を有する第１トンネル布部３Ａ,３Ａに案内されながら袖２,２の腹部Ｊ,Ｊに沿って徐徐に牽引される。従って、左右の両袖２,２は、通し紐４,４に引かれることにより袖口２ａ,２ａから略肘関節７,７まではもとより袖２,２全体が無理なく平均して縮小される。引かれた通し紐４,４は所要長さにて元に戻らないように係止具１１にて係止される。
【００２２】
この際、一端４ａを袖口２ａに固着した通し紐４,４は、袖口２ａ,２ａから肘関節７,７に到る長さＬ１を有する第１トンネル布部３Ｂ,３Ｂ内に挿通されて袖２,２の腹部Ｊ,Ｊの幅方向の略中央に横長に引かれる線Ｑ,Ｑに対して肩口８,８に向かって正面３０度〜４５度に設定される正面上がり勾配θに第２トンネル布部３Ｂ,３Ｂ内に配挿されるので、通し紐４,４の引き締め動作は引き連れがなく、円滑に行うことができる。
【００２３】
同時に、本実施形態１では、第１トンネル布部３Ａ,３Ａを通過した通し紐４,４は、上衣１の肩口８,８の袖山９,９付近に設けた第２トンネル布部３Ｂ,３Ｂ内に正面上がり勾配θにそれぞれ袖２,２の腹部Ｊ１,Ｊ１に沿って配挿されて前述のように衿ぐり６の後部に設けた開口６ａから外部に引き締め可能に設けられているので、袖の袖山に沿って略全体的に配置したトンネル布部内に通し紐を配索し、しかも、肩部５,５から衿ぐり６の後部の開口６ａへとそれぞれ配索した特許文献１に記載の上記従来のスポーツウェアでは、左右の両袖は通し紐にて斜め上方へ引かれて万歳するようなＹ字状の格好になるのとは異なり、本実施形態１では左右の両袖２,２は肘関節７部分において肘関節７の屈曲方向に合致して図１の想像線に示されるように略く字状に袖２,２の腹部Ｊ,Ｊ側に屈曲されることにより前側下方へ対向して屈曲され、縮小される。
【００２４】
このように、左右の通し紐４,４を襟ぐり部６の後部に設けた開口６ａから引き締めるだけの簡単な取り扱い操作により、袖２,２の長さを迅速かつ円滑に短く縮小して調整することができる。このため、被着者は左右の袖２,２の長さを自己の体格に合わせて調整作業が短時間にて、多くの手間がかからず容易かつ確実に行うことができる。
【００２５】
また、本実施形態１のスポーツウェアは、通し紐４,４が、両袖２,２の袖口２ａ,２ａの腹部Ｊ１,Ｊ１に一端４ａ,４ａを固着し、袖２,２の腹部Ｊ,Ｊに沿って第１トンネル布部３Ａ,３Ａ内に挿通されるとともに、肩口８,８の袖山９,９付近に設けた第２トンネル布部３Ｂ,３Ｂ内に正面上がり勾配θに配挿されて衿ぐり部６の後部に設けた開口６ａから引き締め可能に外部に露出されているので、前述のように袖２,２の長さを体格に合わせて短く調整してから、上衣１を着用して肘関節７を屈伸運動する場合に、通し紐４,４の張力は肘関節の屈伸と同方向になり、抵抗となって肘関節７の動きを拘束することがなくなるため、肘関節７は自在かつ円滑に屈伸することができ、違和感を覚えることがなく、運動性と機能性は優れたものになる。
【００２６】
また、同様に上衣１を脱ぐ場合にも、通し紐４,４の張力が抵抗となって肘関節７の動きを拘束することがないので、腕を肘関節７に対応する袖部２,２から容易に抜き取ることができるため、上衣１を手間取ることなく迅速かつ確実に脱ぎ取ることができる。
【００２７】
また、前述のように短く調整した左右の両袖２,２を元の長さに戻すには、所望長さに引かれた通し紐４,４の係止具１１に対する係止を解いた後に、袖口２ａ,２ａをそれぞれ引っ張ると、両袖２,２が伸長して旧位に復すとともに両袖２,２の袖口２ａ,２ａの腹部Ｊ１,Ｊ１に一端４ａ,４ａを固着した通し紐４,４は、第１トンネル布部３Ａ,３Ａおよび第２トンネル布部３Ｂ,３Ｂ内を案内されながら旧位に移動して元に戻る。
【００２８】
また、図３および図４に示すものは本発明のスポーツウエアの実施形態２を示すものである。
【００２９】
この実施形態２では、左右の袖２,２が、上衣1の前身頃１Ａおよび後身頃１Ｂに、連結可能な肩布部２′Ａを一体に形成したラグラン袖であり、裁断、縫製が前記実施形態１より有利であるほかは、前記実施形態１と同様の構成、作用を奏する。
【００３０】
また、上記実施形態１および実施形態２では、前記通し紐４,４が、不伸縮紐により形成しているが、伸縮紐４,４はこれに限らず、図５に示すように、肘関節７または／および腕関節１２に対応する個所を伸縮紐４Ｂ,４Ｂにて形成し、それ以外の個所を不伸縮紐４Ａにより形成されることにより、肘関節７または／および腕関節１２に対応する個所に伸縮性をもたせて運動性を高めることも、本発明の適用範囲である。
【産業上の利用可能性】
【００３１】
本発明のスポーツウェアは上衣の装用操作および脱ぎ取り操作が、違和感を覚えることなく迅速かつ円滑に行え、また、左右の両袖の長短調整操作が容易かつ確実に行え、しかも、着用時の運動性と機能性に優れた分野・用途に適する。
【図面の簡単な説明】
【００３２】
【図１】図１は本発明のスポーツウェアの実施形態１を示す正面図である。
【図２】図２は同じく背面図である。
【図３】図３は本発明のスポーツウェアの実施形態２を示す正面図である。
【図４】図４は同じく背面図である。
【図５】図５は本発明に用いる通し紐の他例である。
【符号の説明】
【００３３】
１        上衣
１Ａ      前身頃
１Ｂ      後身頃
２        両袖
２ａ      袖口
３        トンネル布部
３ａ      一端
３Ａ      第１トンネル布部
３Ｂ      第２トンネル布部
４        通し紐
４ａ      一端
４ｂ      他端
５        肩部
６        衿ぐり
６ａ      開口
７        肘関節
８        肩口
９        袖山
１０      袖ぐり
Ｌ１      長さ
θ        上がり勾配
【図１】
2006009209.tif 000003
【図２】
2006009209.tif 000004
【図３】
2006009209.tif 000005
【図４】
2006009209.tif 000006
【図５】
2006009209.tif 000007